(57)【要約】      （修正有）【課題】異なる音声クォリティを具有し、周波数に共鳴する音を調整できるイヤホーンの改良構造を提供する。【解決手段】主にイヤホーンケース１１０、スピーカー１２０及び調整装置１３０で構成するイヤホーンである。該イヤホーンケースに音声調整孔１１４及び設置孔１１５を設け、スピーカー１２０をイヤホーンケース１１０内に設置し、イヤホーンケース１１０との間に共振空間を形成する。調整装置１３０は棒１３３及び遮蔽シート１３２を具有し、該遮蔽シートをイヤホーンケースの中に設置し、棒の片端を該遮蔽シートに、別端は前記設置孔を通してイヤホーンケースの外に延伸し、調整ボタン１３１と固定することで、調整ボタンを回すと、遮断シート１３２が順次該音声調整孔を遮蔽することができる。本イヤホーンは該調整構造を介し、イヤホーンケースにある該音声調整孔の開放或いは閉鎖を調整することで、異なる音声クォリティを具有することができる。【選択図】図3
0003148462.tif 000002
【実用新案登録請求の範囲】
【請求項１】
イヤホーンケース、スピーカー、調整装置を含み、
イヤホーンケースに音声調整孔及び設置孔を設け、
スピーカーをイヤホーンケース内に設置し、イヤホーンケースとの間に共振空間を形成し、
調節装置に棒及び順に該等音声調整孔を遮断できる遮断シートを具有し、該遮断シートをイヤホーンケース内に設置し、棒の片端を遮断シートに固定し、別端は設置孔を通してイヤホーンケースの外に延伸して設置することを特徴とするイヤホーンの構造。
【請求項２】
前記調節装置に調整ボタンを具有し、該調整ボタンを前記棒のイヤホーンケースの外側に延伸した片端と固定することを特徴とする請求項1記載のイヤホーンの構造。
【請求項３】
前記イヤホーンケースの音声調整孔は複数個であり、調整ボタンも複数個のランクを具有し、該調整ボタンを異なるランクに調整すると、遮断シートはイヤホーンケースの音声調整孔を順に遮断することを特徴とする請求項2記載のイヤホーンの構造。
【請求項４】
前記調整ボタンはランクをコントロールできる、或いはランクなしの調整可能な構造で回転変位をすることを特徴とする請求項2記載のイヤホーンの構造。
【考案の詳細な説明】
【技術分野】
【０００１】
本考案は音の調整技術に関し、特にヘッドホーンの周波数に共鳴する音の調整技術に関する。
【背景技術】
【０００２】
今日のラジオやMP3、携帯電話或いはPDAなどの電子製品は、いずれもオーディオ放送機能を具有する。当該電子製品はヘッドホーンを介し、オーディオで聞き取ることができるため、特定場所でも他人に迷惑をかけることがない。
【０００３】
図1及び図2に示すように、従来のイヤホーン100`は主にイヤホーンケース110`、スピーカー120`及び蓋130`で構成する。スピーカー120`をイヤホーンケース110`の内側に設置し、該蓋130`の孔131`を通じて外部に音を発する。スピーカー120`とイヤホーンケース110`の間に共振空間S10`を形成し、該共振空間S10`でイヤホーン100`が発する音のクォリティを調整することができる。試験で証明したように、共振空間S10`と外界空間が連通するか否かは、イヤホーン100`の音声クォリティにも影響する。共振空間S10`と外界空間が連通するか否かに基づき、イヤホーン100`は閉鎖タイプと開放タイプに分けることができる。図1及び図2に示すイヤホーン100`は開放タイプのイヤホーンであり、該イヤホーンケース110`に複数の音声調整孔111`を設置する。
【０００４】
従来技術のイヤホーンはデザインと製造過程で既に、閉鎖タイプ或いは開放タイプいずれのタイプなのかが固定され、使用過程で変更することができない。消費者は1セットのイヤホーンで、元の構造を変更しない状況で音声クォリティを変えることができず、同じイヤホーンで異なる特色のある音を堪能することができないため、改善する必要があった。
【特許文献１】実開平５−１８１９３号公報
【考案の開示】
【考案が解決しようとする課題】
【０００５】
前記従来技術の欠点を解決するため、本考案は異なる音声クォリティを具有し、周波数に共鳴する音を調整できるイヤホーンの構造改良を提供することを主な課題とする。
【課題を解決するための手段】
【０００６】
前記課題を解決するために、本考案はイヤホーンケース、スピーカー及び調整装置から構成されている。該イヤホーンケースに音声調整孔及び設置孔を設け、該スピーカーをイヤホーンケース内に設置し、イヤホーンケースとの間に共振空間を形成する。該調整装置に棒及び遮蔽シートを具有し、該遮蔽シートをイヤホーンケース内に設置し、棒の一端を遮蔽シートに固定し、別端は前記設置孔を通してイヤホーンケースの外に延伸し、調整ボタンと固定することで、調整ボタンを回すと、遮断シートが順次該等音声調整孔を遮蔽することができる。
本考案は、以下の特徴を有する。
（１）イヤホーンケース、スピーカー、調整装置を含み、
イヤホーンケースに音声調整孔及び設置孔を設け、
スピーカーをイヤホーンケース内に設置し、イヤホーンケースとの間に共振空間を形成し、
調節装置に棒及び順に該等音声調整孔を遮断できる遮断シートを具有し、該遮断シートをイヤホーンケース内に設置し、棒の片端を遮断シートに固定し、別端は設置孔を通してイヤホーンケースの外に延伸して設置することを特徴とするイヤホーンの構造。
（２）前記調節装置に調整ボタンを具有し、該調整ボタンを前記棒のイヤホーンケースの外側に延伸した片端と固定することを特徴とする（１）記載のイヤホーンの構造。
（３）前記イヤホーンケースの音声調整孔は複数個であり、調整ボタンも複数個のランクを具有し、該調整ボタンを異なるランクに調整すると、遮断シートはイヤホーンケースの音声調整孔を順に遮断することを特徴とする（２）記載のイヤホーンの構造。
（４）前記調整ボタンはランクをコントロールできる、或いはランクなしの調整可能な構造で回転変位をすることを特徴とする（２）記載のイヤホーンの構造。
【考案の効果】
【０００７】
本考案は調整構造の設置により、イヤホーンケースにある音声調整孔の開放或いは閉鎖を調整することで、本考案のイヤホーンは異なる音声クォリティを具有することができる。
【考案を実施するための最良の形態】
【０００８】
本考案によるイヤホーンの構造を明確に示すために図に沿って詳細な説明を行う。
【０００９】
図3に示すのは、本考案のイヤホーン100、スピーカー120及び調整装置130を含む。
【００１０】
イヤホーンケース110は中空の絶縁ケースであり、前端壁111、前端壁111と相対して設置する後端壁112及び前端壁111及び後端壁112の間を接続する側壁113を具有する。イヤホーンケース110内部の前端にスピーカー120を設置し、該スピーカー120の発する音はイヤホーンケース110の前端壁111を通って外部に伝える。スピーカー120とイヤホーンケース110の後部に共振空間S10を形成し、該共振空間S10はスピーカー120が発する音を変え、イヤホーン100から発する音を調整する。
【００１１】
イヤホーンケース110に複数の音声調整孔114を開けることで、共振空間S10とイヤホーン100が外界空間と連通する。検証結果によると、該等音声調整孔114は、数量、形状、大小など異なるデザインにより、イヤホーン100は異なる音声クォリティが生じる。よって、実際の応用では、異なるニーズに基づき、音声調整孔114の数量や形状大小をデザインする。本実施例では、開設した音声調整孔114は4つであり、統一して該等音声調整孔114の開放或いは閉鎖を調節できるよう、該等音声調整孔114は一列にイヤホーンケース110の後側壁112に設置する。イヤホーンケース110の音声調整孔114の下方に設置孔115を開け、調節装置130を設置する。
【００１２】
調節装置130は調節ボタン131、遮蔽シート132及び棒133を含む。該調節ボタン131をイヤホーンケース110の後側壁112の外側に設置し、該遮蔽シート132をイヤホーンケース110の後側壁112の内側に設置し、該棒133は設置孔115を通して設置し、両端をそれぞれ調整ボタン131、遮蔽シート132と固定する。調節装置130の調節ボタン131をまわすと、棒133を介し遮蔽シート132も同時に回転し、遮蔽シート132が音声調整孔114を遮断する。
【００１３】
図4、図5、図6に示すのは、本考案のイヤホーン100の背面図である。イヤホーンケース110に開けた四つの音声調節穴114に対応し、調節装置130の調整ボタン131に「1」、「2」、「3」、「4」のランクを設置する。調整ボタン131を前述のランク以外に回すと、本考案のイヤホーン100は開放タイプのイヤホーンとなり、調整ボタン131を「1」に回すと、遮蔽シート132は音声調整孔114の一つの穴を遮断する。調節ボタン131をそれぞれ「2」、「3」、「4」のランクに回すと、遮断シート132はそれぞれ音声調整孔114の二つ、三つ或いは四つ全てを遮断する。全ての音声調整孔114が遮断されると、イヤホーン100は閉鎖タイプのイヤホーンとなる。
【００１４】
図7に示すのは、遮断シート132が異なる数の音声調整孔114を遮断する際、本考案のイヤホーン100の発する音声の周波数曲線の変化である。該図は人間の耳の聴覚の周波数範囲（20 Hz~20 KHz）を示し、本考案イヤホーン100の音声調整孔114が異なる遮蔽状態のとき、音声に対する反映を示している。図に示すように、曲線Iは音声調整孔114が全て未遮断時の周波数曲線であり、曲線II、III、IVはそれぞれ遮断シート132が一つ、二つ及び四つ全ての音声調整孔114を遮断した時の曲線を表している。該曲線図で分かるように、本考案のイヤホーンは調整装置130の調整により、周波数曲線の短波と長波の区別がよりはっきりと現れ、音声のクォリティもよくなり、異なる特色の音が出るため、ユーザーの様々なニーズを満たすことができる。
【００１５】
以上の実施例は、本考案の原理を説明したものである。調整ボタン131はコントロールできるランク或いはランクのない構造を利用して変位調整をすることで、遮断シート132を使って音声調整孔114を遮断する。実際デザイン製造する際、イヤホーンの音声調整孔114の孔の数は実際の状況により増減し、調整ボタン131のランク個数も孔の個数の増減によって変化する。遮断シート132の具体的な形態は、プレートや棒など、其の他の形状構造でも良い。必要とあらば、遮断シートを増加して多くの孔の開閉をコントロールすることもできる。
【図面の簡単な説明】
【００１６】
【図１】従来技術の開放タイプイヤホーンの断面図である。
【図２】図1の背面図である。
【図３】本考案のイヤホーンの側面断面図である。
【図４】図3に示すイヤホーンの調整略図である。
【図５】図3に示すイヤホーンの調整略図である。
【図６】図3に示すイヤホーンの調整略図である。
【図７】本考案の使用効果テスト表である。
【符号の説明】
【００１７】
100`  イヤホーン              
110`  イヤホーンケース        
111`  音声調整孔             
120`  スピーカー           
130`  蓋                    
131`  孔                 
S10  共振空間                   
100  イヤホーン        
110  イヤホーンケース    
S10  共振空間           
111  前端壁            
112  後端壁            
113  側壁                
114  音声調整孔       
115  設置孔              
120  スピーカー         
130  調整装置            
131  調整ボタン          
132  遮蔽シート          
133  棒                
【図１】
0003148462.tif 000003
【図２】
0003148462.tif 000004
【図３】
0003148462.tif 000005
【図４】
0003148462.tif 000006
【図５】
0003148462.tif 000007
【図６】
0003148462.tif 000008
【図７】
0003148462.tif 000009